(57)【要約】【課題】  高変倍化を図りながら、光学性能の劣化が少なくなるように、適切なレンズ群の屈折力を設定したズームレンズ、光学機器及びズームレンズの製造方法を提供する。【解決手段】  物体側から順に並んだ、正の屈折力を持つ第１レンズ群Ｇ１と、負の屈折力を持つ第２レンズ群Ｇ２と、正の屈折力を持つ第３レンズ群Ｇ３と、負の屈折力を持つ第４レンズ群Ｇ４と、正の屈折力を持つ第５レンズ群Ｇ５とを有し、広角端状態から望遠端状態への変倍に際して各レンズ群の間隔が変化し、第２レンズ群Ｇ２は少なくとも３枚の負の屈折力を持つレンズ（図１ではレンズＬ２１，Ｌ２２，Ｌ２４）と、少なくとも１枚の正の屈折力を持つレンズ（図１ではレンズＬ２３）とを有し、第２レンズ群Ｇ２を構成する前記正レンズが持つｄ線（波長587.56nm）の屈折率をｎｄ２としたとき、次式１．８７＜ｎｄ２の条件を満足する。【選択図】  図１
2010191199.tif 000002
【特許請求の範囲】
【請求項１】
物体側から順に並んだ、正の屈折力を持つ第１レンズ群と、負の屈折力を持つ第２レンズ群と、正の屈折力を持つ第３レンズ群と、負の屈折力を持つ第４レンズ群と、正の屈折力を持つ第５レンズ群とを有し、
広角端状態から望遠端状態への変倍に際して各レンズ群の間隔が変化し、
前記第２レンズ群は、少なくとも３枚の負の屈折力を持つレンズと、少なくとも１枚の正の屈折力を持つレンズとを有し、
前記第２レンズ群を構成する前記正レンズが持つｄ線（波長587.56nm）の屈折率をｎｄ２としたとき、次式
１．８７＜ｎｄ２
の条件を満足することを特徴とするズームレンズ。
【請求項２】
前記第２レンズ群の焦点距離をｆ２とし、前記第４レンズ群の焦点距離をｆ４としたとき、次式
０．３０＜（−ｆ２）／（−ｆ４）＜１．５０
の条件を満足することを特徴とする請求項１に記載のズームレンズ。
【請求項３】
前記第３レンズ群の焦点距離をｆ３とし、前記第４レンズ群の焦点距離をｆ４としたとき、次式
０．５０＜ｆ３／（−ｆ４）＜１．２０
の条件を満足することを特徴とする請求項１又は２に記載のズームレンズ。
【請求項４】
前記第４レンズ群の焦点距離をｆ４とし、前記第５レンズ群の焦点距離をｆ５としたとき、次式
０．８０＜ｆ５／（−ｆ４）＜３．５０
の条件を満足することを特徴とする請求項１〜３のいずれか一項に記載のズームレンズ。
【請求項５】
前記第２レンズ群は、物体側から順に並んだ、負の屈折力を持つレンズと、負の屈折力を持つレンズと、正の屈折力を持つレンズと、負の屈折力を持つレンズとを有することを特徴とする請求項１〜４のいずれか一項に記載のズームレンズ。
【請求項６】
前記第２レンズ群は、少なくとも１枚の非球面を有することを特徴とする請求項１〜５のいずれか一項に記載のズームレンズ。
【請求項７】
前記第４レンズ群の少なくとも一部のレンズ群は、光軸に垂直な方向の成分を持つように移動することを特徴とする請求項１〜６のいずれか一項に記載のズームレンズ。
【請求項８】
前記第３レンズ群の少なくとも一部のレンズ群は、光軸に垂直な方向の成分を持つように移動することを特徴とする請求項１〜６のいずれか一項に記載のズームレンズ。
【請求項９】
広角端状態から望遠端状態への変倍に際し、前記第１レンズ群と前記第３レンズ群と前記第５レンズ群は物体側に移動し、前記第２レンズ群と前記第４レンズ群は移動することを特徴とする請求項１〜８のいずれか一項に記載のズームレンズ。
【請求項１０】
無限遠物体から近距離物体への合焦は、前記第２レンズ群の少なくとも一部を光軸方向に移動させて行うことを特徴とする請求項１〜９のいずれか一項に記載のズームレンズ。
【請求項１１】
広角端状態から望遠端状態への変倍に際し、前記第１レンズ群と前記第２レンズ群との間隔は増大し、前記第２レンズ群と前記第３レンズ群との間隔は減少し、前記第３レンズ群と前記第４レンズ群との間隔は増大し、前記第４レンズ群と前記第５レンズ群との間隔は減少することを特徴とする請求項１〜１０のいずれか一項に記載のズームレンズ。
【請求項１２】
請求項１〜１１のいずれか一項に記載のズームレンズを有することを特徴とする光学機器。
【請求項１３】
物体側から順に並んだ、正の屈折力を持つ第１レンズ群と、負の屈折力を持つ第２レンズ群と、正の屈折力を持つ第３レンズ群と、負の屈折力を持つ第４レンズ群と、正の屈折力を持つ第５レンズ群とを有するズームレンズの製造方法であって、
広角端状態から望遠端状態への変倍に際して各レンズ群の間隔が変化し、
前記第２レンズ群は、少なくとも３枚の負の屈折力を持つレンズと、少なくとも１枚の正の屈折力を持つレンズとを有し、
前記第２レンズ群を構成する前記正レンズが持つｄ線（波長587.56nm）の屈折率をｎｄ２としたとき、次式
１．８７＜ｎｄ２
の条件を満足することを特徴とするズームレンズの製造方法。
【発明の詳細な説明】
【技術分野】
【０００１】
本発明は、ズームレンズ、光学機器及びズームレンズの製造方法に関する。
【背景技術】
【０００２】
近年、光学設計技術や製造技術の進歩により、ズームレンズでは高変倍化が図られている。例えば、物体側から順に並んだ、正の屈折力を持つ第１レンズ群と、負の屈折力を持つ第２レンズ群と、正の屈折力を持つ第３レンズ群と、負の屈折力を持つ第４レンズ群と、正の屈折力を持つ第５レンズ群とからなる５群タイプのズームレンズが提案されている。（例えば、特許文献１を参照）。
【先行技術文献】
【特許文献】
【０００３】
【特許文献１】特開２００６−２２７５２６号公報
【発明の概要】
【発明が解決しようとする課題】
【０００４】
しかしながら、従来の高変倍を図ったズームレンズでは、変倍時の光学性能の劣化が著しいという問題があった。
【０００５】
本発明は、このような問題に鑑みてなされたものであり、高変倍化を図りながら、光学性能の劣化が少なくなるように、適切なレンズ群の屈折力を設定したズームレンズ、光学機器及びズームレンズの製造方法を提供することを目的とする。
【課題を解決するための手段】
【０００６】
このような目的を達成するため、本発明のズームレンズは、物体側から順に並んだ、正の屈折力を持つ第１レンズ群と、負の屈折力を持つ第２レンズ群と、正の屈折力を持つ第３レンズ群と、負の屈折力を持つ第４レンズ群と、正の屈折力を持つ第５レンズ群とを有し、広角端状態から望遠端状態への変倍に際して各レンズ群の間隔が変化し、前記第２レンズ群は、少なくとも３枚の負の屈折力を持つレンズと、少なくとも１枚の正の屈折力を持つレンズとを有し、前記第２レンズ群を構成する前記正レンズが持つｄ線の屈折率をｎｄ２としたとき、次式１．８７＜ｎｄ２の条件を満足する。
【０００７】
なお、前記第２レンズ群の焦点距離をｆ２とし、前記第４レンズ群の焦点距離をｆ４としたとき、次式０．３０＜（−ｆ２）／（−ｆ４）＜１．５０の条件を満足することが好ましい。
【０００８】
また、前記第３レンズ群の焦点距離をｆ３とし、前記第４レンズ群の焦点距離をｆ４としたとき、次式０．５０＜ｆ３／（−ｆ４）＜１．２０の条件を満足することが好ましい。
【０００９】
また、前記第４レンズ群の焦点距離をｆ４とし、前記第５レンズ群の焦点距離をｆ５としたとき、次式０．８０＜ｆ５／（−ｆ４）＜３．５０の条件を満足することが好ましい。
【００１０】
また、前記第２レンズ群は、物体側から順に並んだ、負の屈折力を持つレンズと、負の屈折力を持つレンズと、正の屈折力を持つレンズと、負の屈折力を持つレンズとを有することが好ましい。
【００１１】
また、前記第２レンズ群は、少なくとも１枚の非球面を有することが好ましい。
【００１２】
また、前記第４レンズ群の少なくとも一部のレンズ群は、光軸に垂直な方向の成分を持つように移動することが好ましい。
【００１３】
また、前記第３レンズ群の少なくとも一部のレンズ群は、光軸に垂直な方向の成分を持つように移動することが好ましい。
【００１４】
また、広角端状態から望遠端状態への変倍に際し、前記第１レンズ群と前記第３レンズ群と前記第５レンズ群は物体側に移動し、前記第２レンズ群と前記第４レンズ群は移動することが好ましい。
【００１５】
また、無限遠物体から近距離物体への合焦は、前記第２レンズ群の少なくとも一部を光軸方向に移動させて行うことが好ましい。
【００１６】
また、広角端状態から望遠端状態への変倍に際し、前記第１レンズ群と前記第２レンズ群との間隔は増大し、前記第２レンズ群と前記第３レンズ群との間隔は減少し、前記第３レンズ群と前記第４レンズ群との間隔は増大し、前記第４レンズ群と前記第５レンズ群との間隔は減少することが好ましい。
【００１７】
また、本発明の光学機器は、上記いずれかに記載のズームレンズを有する。
【００１８】
また、本発明は、物体側から順に並んだ、正の屈折力を持つ第１レンズ群と、負の屈折力を持つ第２レンズ群と、正の屈折力を持つ第３レンズ群と、負の屈折力を持つ第４レンズ群と、正の屈折力を持つ第５レンズ群とを有するズームレンズの製造方法であって、広角端状態から望遠端状態への変倍に際して各レンズ群の間隔が変化し、前記第２レンズ群は、少なくとも３枚の負の屈折力を持つレンズと、少なくとも１枚の正の屈折力を持つレンズとを有し、前記第２レンズ群を構成する前記正レンズが持つｄ線の屈折率をｎｄ２としたとき、次式１．８７＜ｎｄ２の条件を満足する。
【発明の効果】
【００１９】
本発明によれば、高変倍化を図りながら、光学性能の劣化が少なくなるように、適切なレンズ群の屈折力を設定したズームレンズ、光学機器及びズームレンズの製造方法を提供することができる。
【図面の簡単な説明】
【００２０】
【図１】第１実施例に係るズームレンズの断面構成図であり、（Ｗ）は広角端状態を、（Ｍ）は中間焦点距離状態を、（Ｔ）は望遠端状態をそれぞれ示す。
【図２】第１実施例に係るズームレンズの諸収差図であり、（ａ）は広角端状態における無限合焦状態での諸収差図、（ｂ）は中間焦点距離状態における無限合焦状態での諸収差図、（ｃ）は望遠端状態における無限合焦状態での諸収差図である。
【図３】第２実施例に係るズームレンズの断面構成図であり、（Ｗ）は広角端状態を、（Ｍ）は中間焦点距離状態を、（Ｔ）は望遠端状態をそれぞれ示す。
【図４】第２実施例に係るズームレンズの諸収差図であり、（ａ）は広角端状態における無限合焦状態での諸収差図、（ｂ）は中間焦点距離状態における無限合焦状態での諸収差図、（ｃ）は望遠端状態における無限合焦状態での諸収差図である。
【図５】第３実施例に係るズームレンズの断面構成図であり、（Ｗ）は広角端状態を、（Ｍ）は中間焦点距離状態を、（Ｔ）は望遠端状態をそれぞれ示す。
【図６】第３実施例に係るズームレンズの諸収差図であり、（ａ）は広角端状態における無限合焦状態での諸収差図、（ｂ）は中間焦点距離状態における無限合焦状態での諸収差図、（ｃ）は望遠端状態における無限合焦状態での諸収差図である。
【図７】第４実施例に係るズームレンズの断面構成図であり、（Ｗ）は広角端状態を、（Ｍ）は中間焦点距離状態を、（Ｔ）は望遠端状態をそれぞれ示す。
【図８】第４実施例に係るズームレンズの諸収差図であり、（ａ）は広角端状態における無限合焦状態での諸収差図、（ｂ）は中間焦点距離状態における無限合焦状態での諸収差図、（ｃ）は望遠端状態における無限合焦状態での諸収差図である。
【図９】第５実施例に係るズームレンズの断面構成図であり、（Ｗ）は広角端状態を、（Ｍ）は中間焦点距離状態を、（Ｔ）は望遠端状態をそれぞれ示す。
【図１０】第５実施例に係るズームレンズの諸収差図であり、（ａ）は広角端状態における無限合焦状態での諸収差図、（ｂ）は中間焦点距離状態における無限合焦状態での諸収差図、（ｃ）は望遠端状態における無限合焦状態での諸収差図である。
【図１１】上記構成のズームレンズを備えたデジタル一眼レフカメラＣＡＭ（光学機器）の略断面図を示す。
【図１２】上記構成のズームレンズの製造方法を説明するためのフローチャートである。
【発明を実施するための形態】
【００２１】
以下、好ましい実施形態について、図面を用いて説明する。図１に示すように、本実施形態におけるズームレンズは、物体側から順に並んだ、正の屈折力を持つ第１レンズ群Ｇ１と、負の屈折力を持つ第２レンズ群Ｇ２と、正の屈折力を持つ第３レンズ群Ｇ３と、負の屈折力を持つ第４レンズ群Ｇ４と、正の屈折力を持つ第５レンズ群Ｇ５とを有し、広角端状態から望遠端状態への変倍に際して各レンズ群の間隔が変化するとともに、第２レンズ群Ｇ２は、少なくとも３枚の負の屈折力を持つレンズと、少なくとも１枚の正の屈折力を持つレンズとを有する。この構成により、構成レンズ群の数が多いため、変倍を各群に分担させることができ、高変倍化がしやすくなる。
【００２２】
さらに、上記構成の基、第２レンズ群Ｇ２を構成する前記正レンズが持つｄ線（波長587.56nm）の屈折力をｎｄ２としたとき、次式（１）の条件を満足する。
【００２３】
１．８７＜ｎｄ２  …（１）
【００２４】
上記条件式（１）は、結像性能の確保に適した、第２レンズ群Ｇ２を構成する正レンズの屈折率を規定するための条件式である。この条件式（１）の下限値を下回ると、コマ収差の変動や望遠端状態における結像性能（例えば、球面収差等）の劣化を招き、好ましくない。
【００２５】
なお、本実施形態の効果を確実なものにするために、条件式（１）の下限値を１．８９５とすることが好ましい。また、本実施形態の効果をより確実なものにするために、条件式（１）の下限値を１．９０とすることがより好ましい。
【００２６】
また、本実施形態において、第２レンズ群Ｇ２の焦点距離をｆ２とし、第４レンズ群Ｇ４の焦点距離をｆ４としたとき、次式（２）の条件を満足することが好ましい。
【００２７】
０．３０＜（−ｆ２）／（−ｆ４）＜１．５０  …（２）
【００２８】
上記条件式（２）は、第２レンズ群Ｇ２の焦点距離に対する、第４レンズ群Ｇ４の焦点距離の適切な比率を規定するものである。本ズームレンズは、この条件式（２）を満足することで、良好な光学性能を実現することができる。なお、条件式（２）の上限値を上回ると、第４レンズ群Ｇ４の屈折力が強くなりすぎ、望遠端状態における正の歪曲収差が劣化する。また、第２レンズ群Ｇ２の屈折力が弱くなりすぎ、広角端状態における周辺光量の確保が困難になる。逆に、条件式（２）の下限値を下回ると、第２レンズ群Ｇ２の屈折力が強くなりすぎ、広角端状態における軸外収差、特に像面湾曲と非点収差の補正が困難となる。
【００２９】
なお、本実施形態の効果をより確実なものにするために、条件式（２）の上限値を１．２０とすることが好ましい。さらに、本実施形態の効果をより確実なものにするために、条件式（２）の上限値を１．００とすることが好ましい。また、本実施形態の効果をより確実なものにするために、条件式（２）の下限値を０．３５とすることが好ましい。
【００３０】
また、本実施形態において、第３レンズ群Ｇ３の焦点距離をｆ３とし、第４レンズ群Ｇ４の焦点距離をｆ４としたとき、次式（３）の条件を満足することが好ましい。
【００３１】
０．５０＜ｆ３／（−ｆ４）＜１．２０  …（３）
【００３２】
上記条件式（３）は、第３レンズ群Ｇ３の焦点距離に対する、第４レンズ群Ｇ４の焦点距離の適切な比率を規定するものである。この条件式（３）の上限値を上回ると、第４レンズ群Ｇ４の屈折力が強くなりすぎ、望遠端状態における球面収差の補正が困難となる。逆に、条件式（３）の下限値を下回ると、第３レンズ群Ｇ３の屈折力が強くなりすぎ、広角端状態における球面収差及びコマ収差の補正が困難となる。
【００３３】
なお、本実施形態の効果を確実なものにするために、条件式（３）の上限値を１．１０とすることが好ましい。また、本実施形態の効果を確実なものにするために、条件式（３）の下限値を０．６０とすることが好ましい。
【００３４】
また、本実施形態において、第４レンズ群Ｇ４の焦点距離をｆ４とし、第５レンズ群Ｇ５の焦点距離をｆ５としたとき、次式（４）の条件を満足することが好ましい。
【００３５】
０．８０＜ｆ５／（−ｆ４）＜３．５０  …（４）
【００３６】
上記条件式（４）は、第５レンズ群Ｇ５の焦点距離に対する、第４レンズ群Ｇ４の焦点距離の適切な比率を規定するものである。この条件式（４）の上限値を上回ると、第４レンズ群Ｇ４の屈折力が強くなりすぎ、望遠端状態における球面収差の補正が困難となる。逆に、条件式（４）の下限値を下回ると、第５レンズ群Ｇ５の屈折力が強くなりすぎ、広角端状態におけるコマ収差及び非点収差の補正が困難となる。
【００３７】
なお、本実施形態の効果を確実なものにするために、条件式（４）の上限値を２．４０とすることが好ましい。また、本実施形態の効果をより確実なものにするために、条件式（４）の上限値を１．８０とすることがより好ましい。さらに、本実施形態の効果をより確実なものにするために、条件式（４）の上限値を１．７０とすることがより好ましい。
【００３８】
また、本実施形態の効果を確実なものにするために、条件式（４）の下限値を１．１０とすることが好ましい。また、本実施形態の効果をより確実なものにするために、条件式（４）の下限値を１．２０とすることがより好ましい。
【００３９】
また、本実施形態において、第２レンズ群Ｇ２は、物体側から順に並んだ、負の屈折力を持つレンズと、負の屈折力を持つレンズと、正の屈折力を持つレンズと、負の屈折力を持つレンズとを有することが好ましい（図１ではレンズＬ２１、Ｌ２２、Ｌ２３、Ｌ２４が該当）。このような順番でレンズが配置された第２レンズ群Ｇ２によれば、広角端状態における像面湾曲、及び、望遠端状態における球面収差を少なくすることができる。
【００４０】
また、本実施形態において、第２レンズ群Ｇ２は、少なくとも１枚の非球面を有することが好ましい（図１ではレンズＬ２１が該当）。この構成により、広角端状態における像面湾曲を少なくすることができる。
【００４１】
また、本実施形態において、第４レンズ群Ｇ４の少なくとも一部のレンズ群は、光軸に垂直な方向の成分を持つように移動することが好ましい。この構成により、防振時の収差変動を抑えることができる。
【００４２】
また、本実施形態において、第３レンズ群Ｇ３の少なくとも一部のレンズ群は、光軸に垂直な方向の成分を持つように移動することが好ましい。この構成により、防振時の収差変動を抑えることができる。
【００４３】
また、本実施形態において、広角端状態から望遠端状態への変倍に際し、第１レンズ群Ｇ１と第３レンズ群Ｇ３と第５レンズ群Ｇ５は物体側に移動し、第２レンズ群Ｇ２と第４レンズ群Ｇ４は移動することが好ましい。この構成により、高い変倍比を達成することができる。また、像面湾曲等の諸収差を良好に補正できる。
【００４４】
また、本実施形態において、無限遠物体から近距離物体への合焦は、第２レンズ群Ｇ２の少なくとも一部を光軸方向に移動させて行うことが好ましい。この構成により、近距離物体への合焦時の像面湾曲等の諸収差を少なくすることができる。
【００４５】
また、本実施形態において、広角端状態から望遠端状態への変倍に際し、第１レンズ群Ｇ１と第２レンズＧ２との間隔は増大し、第２レンズ群Ｇ２と第３レンズ群Ｇ３との間隔は減少し、第３レンズ群Ｇ３と第４レンズ群Ｇ４との間隔は増大し、第４レンズ群Ｇ４と第５レンズ群Ｇ５との間隔は減少することが好ましい。これにより、球面収差と像面湾曲の変動を効果的に補正しつつ、所定の変倍比を確保することができる。
【００４６】
図１１に、上記構成のズームレンズを撮影レンズ１として備えたデジタル一眼レフカメラＣＡＭ（光学機器）の略断面図を示す。この図１１に示すデジタル一眼レフカメラＣＡＭにおいて、不図示の物体（被写体）からの光は、撮影レンズ１で集光されて、クイックリターンミラー３を介して焦点板４に結像される。そして、焦点板４に結像された光は、ペンタプリズム５中で複数回反射されて接眼レンズ６へと導かれる。これにより、撮影者は、物体（被写体）像を接眼レンズ６を介して正立像として観察することができる。
【００４７】
また、撮影者によって不図示のレリーズボタンが押されると、クイックリターンミラー３が光路外へ退避し、撮影レンズ１で集光された不図示の物体（被写体）の光は撮像素子７上に被写体像を形成する。これにより、物体（被写体）からの光は、当該撮像素子７により撮像され、物体（被写体）画像として不図示のメモリに記録される。このようにして、撮影者は本カメラＣＡＭによる物体（被写体）の撮影を行うことができる。なお、図１１に記載のカメラＣＡＭは、撮影レンズ１を着脱可能に保持するものでもよく、撮影レンズ１と一体に成形されるものでもよい。また、本実施形態のズームレンズは、十分な長さのバックフォーカスを確保することも可能であり、カメラＣＡＭは、いわゆる一眼レフカメラでもよく、クイックリターンミラー等を有さないカメラでもよい。
【００４８】
続いて、図１２を参照しながら、上記構成のズームレンズの製造方法について説明する。まず、円筒状の鏡筒内に各レンズ（例えば、図１に示す第１実施例に係るズームレンズではレンズＬ１１〜Ｌ５４）を組み込む（ステップＳ１）。レンズを鏡筒内に組み込む際、光軸に沿った順にレンズを１つずつ鏡筒内に組み込んでもよく、一部または全てのレンズを保持部材で一体保持してから鏡筒部材と組み立ててもよい。次に、鏡筒内に各レンズが組み込まれた後、鏡筒内に各レンズが組み込まれた状態で物体の像が形成されるか、すなわち各レンズの中心が揃っているかを確認する（ステップＳ２）。続いて、ズームレンズの各種動作を確認する（ステップＳ３）。各種動作の一例としては、広角端状態から望遠端状態への変倍を行う変倍動作、遠距離物体から近距離物体への合焦を行うレンズ（本実施形態では第２レンズ群Ｇ２の少なくとも一部）が光軸方向に沿って移動する合焦動作、少なくとも一部のレンズ（本実施形態では第３レンズ群Ｇ３の少なくとも一部又は第４レンズ群Ｇ４の少なくとも一部）を光軸と垂直方向の成分を持つように移動させる手ぶれ補正動作などが挙げられる。なお、各種動作の確認順番は任意である。
【実施例】
【００４９】
以下、本実施形態に係る各実施例について、図面に基づいて説明する。以下に、表１〜表５を示すが、これらは第１〜第５実施例における各諸元の表である。
【００５０】
［全体諸元］において、ｆはレンズ全系の焦点距離を、ＦＮＯはＦナンバーを、２ωは画角を、Ｙは像高を、ＴＬはレンズ系全長を、Ｂｆはバックフォーカスを示す。
【００５１】
［レンズデータ］において、面番号は光線の進行する方向に沿った物体側からのレンズ面の順序を、ｒは各レンズ面の曲率半径を、ｄは各光学面から次の光学面（又は像面）までの光軸上の距離である面間隔を、ｎｄはｄ線（波長587.6nm）に対する屈折率を、νｄはｄ線に対するアッベ数を示す。また、レンズ面が非球面である場合には、面番号に＊印を付し、曲率半径ｒの欄には近軸曲率半径を示す。なお、曲率半径の「0.0000」は平面又は開口を示す。また、空気の屈折率「1.00000」の記載は省略している。［可変面間隔データ］において、Ｄｉ（但し、ｉは整数）は第ｉ面の可変の面間隔を示す。［レンズ群データ］において、各群の初面及び焦点距離を示す。［条件式対応値］において、上記の条件式（１）〜（４）に対応する値を示す。
【００５２】
なお、［非球面データ］において、［レンズデータ］に示した非球面について、その形状を次式（ａ）で示す。すなわち、光軸に垂直な方向の高さをｙとし、非球面の頂点における接平面から高さｙにおける非球面上の位置までの光軸に沿った距離（サグ量）をＳ（ｙ）とし、基準球面の曲率半径（近軸曲率半径）をｒとし、円錐係数をＫとし、ｎ次の非球面係数をＡｎとしたとき、以下の式（ａ）で示している。なお、各実施例において、２次の非球面係数Ａ2は０であり、その記載を省略している。また、Ｅ-nは、×１０-nを表す。例えば、1.234E-05＝1.234×10-5である。
【００５３】
Ｓ（ｙ）＝（ｙ2／ｒ）／｛１＋（１−Ｋ・y2／ｒ2）1/2｝＋Ａ3×｜ｙ3｜
＋Ａ4×ｙ4＋Ａ6×ｙ6＋Ａ8×ｙ8＋Ａ10×ｙ10＋Ａ12×ｙ12  …（ａ）
【００５４】
なお、表中において、焦点距離ｆ、曲率半径ｒ、面間隔ｄ、その他の長さの単位は、一般に「ｍｍ」が使われている。但し、光学系は、比例拡大又は比例縮小しても同等の光学性能が得られるので、単位は「ｍｍ」に限定されることなく、他の適当な単位を用いることが可能である。
【００５５】
以上の表の説明は、他の実施例においても同様とし、その説明を省略する。
【００５６】
（第１実施例）
第１実施例について、図１、図２及び表１を用いて説明する。図１は、第１実施例に係るズームレンズの断面構成図であり、（Ｗ）は広角端状態を、（Ｍ）は中間焦点距離状態を、（Ｔ）は望遠端状態をそれぞれ示す。なお、以下の説明に使用するレンズを示す符号は、広角端状態（Ｗ）にのみ記載し、他の状態については記載を省略する。他の実施例についても同様とする。
【００５７】
図１に示すように、第１実施例に係るズームレンズは、光軸に沿って物体側から順に並んだ、正の屈折力を持つ第１レンズ群Ｇ１と、負の屈折力を持つ第２レンズ群Ｇ２と、正の屈折力を持つ第３レンズ群Ｇ３と、負の屈折力を持つ第４レンズ群Ｇ４と、正の屈折力を持つ第５レンズ群Ｇ５と有する。そして、広角端状態から望遠端状態への変倍に際し、第１レンズ群Ｇ１と第２レンズ群との間隔は増大し、第２レンズ群Ｇ２と第３レンズ群Ｇ３との間隔は減少し、第３レンズ群Ｇ３と第４レンズ群Ｇ４との間隔は増大し、第４レンズ群Ｇ４と第５レンズ群Ｇ５との間隔は減少するように、第１レンズ群Ｇ１と第３レンズ群Ｇ３と第５レンズ群Ｇ５を物体方向に移動させるとともに、第２レンズ群Ｇ２と第４レンズ群Ｇ４を移動させる。また、本実施例に係るズームレンズでは、遠距離より近距離物体への合焦は、第２レンズ群Ｇ２を物体方向に繰り出すことによって行う。
【００５８】
第１レンズ群Ｇ１は、物体側から順に並んだ、物体側に凸面を向けた負メニスカスレンズＬ１１と両凸正レンズＬ１２との接合レンズと、物体側に凸面を向けた正メニスカスレンズＬ１３とを有する。
【００５９】
第２レンズ群Ｇ２は、物体側から順に並んだ、物体側に凸面を向けた負メニスカスレンズＬ２１と、両凹負レンズＬ２２と、両凸正レンズＬ２３と、両凹負レンズＬ２４とを有する。なお、第２レンズ群Ｇ２の最も物体側に位置する負メニスカスレンズＬ２１は、物体側レンズ面を非球面形状とした、非球面レンズである。
【００６０】
第３レンズ群Ｇ３は、物体側から順に並んだ、両凸正レンズＬ３１と、両凸正レンズＬ３２と物体側に凹面を向けた負メニスカスレンズＬ３３との接合レンズと、物体側に凸面を向けた負メニスカスレンズＬ３４と両凸正レンズＬ３５との接合レンズとを有する。
【００６１】
第４レンズ群Ｇ４は、物体側から順に並んだ、両凹負レンズＬ４１と物体側に凸面を向けた正メニスカスレンズＬ４２との接合レンズと、物体側に凹面を向けた負メニスカスレンズＬ４３とを有する。なお、第４レンズ群Ｇ４の最も像面Ｉ側に位置する負メニスカスレンズＬ４３は、物体側のレンズ面を非球面形状とした、非球面レンズである。
【００６２】
第５レンズ群Ｇ５は、物体側から順に並んだ、両凸正レンズＬ５１と、両凸正レンズＬ５２と物体側に凹面を向けた負メニスカスレンズＬ５３との接合レンズと、物体側に凹面を向けた負メニスカスレンズＬ５４とを有する。なお、第５レンズ群Ｇ５の最も像面Ｉ側に位置する負メニスカスレンズＬ５３は、物体側のレンズ面を非球面形状とした、非球面レンズである。
【００６３】
開口絞りＳは、第２レンズ群Ｇ２と第３レンズ群Ｇ３の間に配置され、広角端状態から望遠端状態への変倍に際して第３レンズ群Ｇ３とともに移動する。
【００６４】
固定絞りＳＰは、第４レンズ群Ｇ４内に配置され、広角端状態から望遠端状態への変倍に際して第４レンズ群Ｇ４とともに移動する。
【００６５】
以下の表１に第１実施例に係るズームレンズの各諸元の値を掲げる。なお、表１における面番号１〜３６は、図１に示す面１〜３６に対応している。
【００６６】
（表１）
［全体諸元］
広角端状態    中間焦点距離状態    望遠端状態
ｆ          28.8      〜    100.1      〜    292.0
ＦＮＯ      3.6      〜      5.4      〜      5.8
２ω        76.6      〜    23.3      〜      8.2
Ｙ          21.6      〜    21.6      〜      21.6
ＴＬ      150.021    〜    204.745    〜      231.787
Ｂｆ      38.421    〜    66.084      〜      79.260
［レンズデータ］
面番号      ｒ          ｄ        ｎｄ        νｄ
1      155.3288      2.000      1.90366      31.27
2      74.7206      9.300      1.49782      82.56
3    -353.7135      0.100
4      65.5112      6.500      1.59319      67.87
5      341.1746      D5
＊6      97.6064      1.350      1.76546      46.73
7      18.1823      6.300
8      -51.0828      1.000      1.80400      46.58
9      51.0828      0.100
10      33.1197      4.600      1.92286      20.5
11    -116.2891      1.200
12      -37.8145      1.000      1.80400      46.58
13      900.9344      D13
14      開口絞りＳ    0.500
15      48.4611      3.300      1.75500      52.29
16      -84.9321      0.100
17      31.3999      5.100      1.49782      82.56
18      -46.3180      1.000      1.84666      23.78
19      -2005.953    0.200
20      35.0089      1.200      1.83481      42.72
21      14.5043      6.600      1.51823      58.89
22      -90.4178      D22
23      -68.2959      1.000      1.77250      49.61
24      15.2089      2.900      1.85026      32.34
25      50.4199      1.785
26      固定絞りSP    3.200
＊27      -22.2821      0.200      1.55389      38.09
28      -22.2821      1.200      1.72916      54.66
29      -45.6998      D29
30      78.3508      5.700      1.51823      58.89
31      -25.3521      0.300
32      49.9836      6.200      1.51742      52.32
33      -30.6962      1.100      1.90366      31.27
34      -54.0563      1.950
＊35      -27.3827      1.300      1.8208      42.64
36      -82.9152      Bf
［非球面データ］
第６面
κ＝-12.2131,A4＝6.17E-07,A6＝-6.68E-09,A8＝-7.12E-12,
A10＝7.97E-14,A12＝-1.54E-16
第２７面
κ＝-0.1607,A4＝2.05E-06,A6＝5.80E-08,A8＝9.38E-12
第３５面
κ＝1.0000,A4＝-1.05E-05,A6＝-2.59E-09,A8＝5.74E-12,A10＝3.01E-14
［可変面間隔データ］
広角端状態      中間焦点距離状態      望遠端状態
D５      2.736              37.836            63.419
D13      31.152            14.114            2.396
D22      2.344              5.937            7.127
D29      6.082              2.489            1.300
［レンズ群データ］
群番号      群初面    群焦点距離
Ｇ１        １        109.383
Ｇ２        ６        -17.376
Ｇ３        14        25.282
Ｇ４        23        -24.060
Ｇ５        30        39.999
［条件式対応値］
条件式（１）ｎｄ２＝1.92286(レンズL23)
条件式（２）（−ｆ２）／（−ｆ４）＝0.72
条件式（３）    ｆ３  ／（−ｆ４）＝1.05
条件式（４）    ｆ５  ／（−ｆ４）＝1.66
【００６７】
表１に示す諸元の表から、第１実施例に係るズームレンズでは、上記条件式（１）〜（４）を全て満たすことが分かる。
【００６８】
図２は、第１実施例に係るズームレンズの諸収差図であり、（ａ）は広角端状態における無限遠合焦状態の諸収差図、（ｂ）は中間焦点距離状態における無限遠合焦状態の諸収差図、（ｃ）は望遠端状態における無限遠合焦状態の諸収差図である。各収差図において、ＦＮＯはＦナンバーを、Ｙは像高（単位：ｍｍ）を示す。なお、球面収差図では最大口径に対応するＦナンバーの値を示し、非点収差図及び歪曲収差図では像高の最大値をそれぞれ示し、コマ収差図では各像高の値を示す。また、ｄはｄ線（波長587.6nm）、ｇはｇ線（波長435.8nm）に対する諸収差を、記載のないものはｄ線に対する諸収差をそれぞれ示す。また、非点収差図において、実線はサジタル像面を示し、破線はメリディオナル像面を示す。以上の収差図の説明は、他の実施例においても同様とし、その説明を省略する。
【００６９】
各収差図から明らかなように、第１実施例では、広角端状態から望遠端状態までの各焦点距離状態において、諸収差が良好に補正され、優れた結像性能を有することが分かる。
【００７０】
（第２実施例）
第２実施例について、図３、図４及び表２を用いて説明する。図３は、第２実施例に係るズームレンズの断面構成図であり、（Ｗ）は広角端状態を、（Ｍ）は中間焦点距離状態を、（Ｔ）は望遠端状態をそれぞれ示す。図３に示すように、第２実施例に係るズームレンズは、光軸に沿って物体側から順に並んだ、正の屈折力を持つ第１レンズ群Ｇ１と、負の屈折力を持つ第２レンズ群Ｇ２と、正の屈折力を持つ第３レンズ群Ｇ３と、負の屈折力を持つ第４レンズ群Ｇ４と、正の屈折力を持つ第５レンズ群Ｇ５と有する。そして、広角端状態から望遠端状態への変倍に際し、第１レンズ群Ｇ１と第２レンズ群との間隔は増大し、第２レンズ群Ｇ２と第３レンズ群Ｇ３との間隔は減少し、第３レンズ群Ｇ３と第４レンズ群Ｇ４との間隔は増大し、第４レンズ群Ｇ４と第５レンズ群Ｇ５との間隔は減少するように、第１レンズ群Ｇ１と第３レンズ群Ｇ３と第５レンズ群Ｇ５を物体方向に移動させるとともに、第２レンズ群Ｇ２と第４レンズ群Ｇ４を移動させる。また、本実施例に係るズームレンズでは、遠距離より近距離物体への合焦は、第２レンズ群Ｇ２を物体方向に繰り出すことによって行う。
【００７１】
第１レンズ群Ｇ１は、物体側から順に並んだ、物体側に凸面を向けた負メニスカスレンズＬ１１と両凸正レンズＬ１２との接合レンズと、物体側に凸面を向けた正メニスカスレンズＬ１３とを有する。
【００７２】
第２レンズ群Ｇ２は、物体側から順に並んだ、物体側に凸面を向けた負メニスカスレンズＬ２１と、両凹負レンズＬ２２と、両凸正レンズＬ２３と、両凹負レンズＬ２４とを有する。なお、第２レンズ群Ｇ２の最も物体側に位置する負メニスカスレンズＬ２１は、物体側のレンズ面を非球面形状とした、非球面レンズである。
【００７３】
第３レンズ群Ｇ３は、物体側から順に並んだ、両凸正レンズＬ３１と、両凸正レンズＬ３２と物体側に凹面を向けた負メニスカスレンズＬ３３との接合レンズと、物体側に凸面を向けた負メニスカスレンズＬ３４と両凸正レンズＬ３５との接合レンズとを有する。
【００７４】
第４レンズ群Ｇ４は、物体側から順に並んだ、両凹負レンズＬ４１と物体側に凸面を向けた正メニスカスレンズＬ４２との接合レンズと、物体側に凹面を向けた負メニスカスレンズＬ４３とを有する。なお、第４レンズ群Ｇ４の最も像面Ｉ側に位置する負メニスカスレンズＬ４３は、物体側のレンズ面を非球面形状とした、非球面レンズである。
【００７５】
第５レンズ群Ｇ５は、物体側から順に並んだ、両凸正レンズＬ５１と、両凸正レンズＬ５２と物体側に凹面を向けた負メニスカスレンズＬ５３との接合レンズと、物体側に凹面を向けた負メニスカスレンズＬ５４とを有する。なお、第５レンズ群Ｇ５の最も像面Ｉ側に位置する負メニスカスレンズＬ５３は、物体側のレンズ面を非球面形状とした、非球面レンズである。
【００７６】
開口絞りＳは、第２レンズ群Ｇ２と第３レンズ群Ｇ３の間に配置され、広角端状態から望遠端状態への変倍に際して第３レンズ群Ｇ３とともに移動する。
【００７７】
固定絞りＳＰは、第４レンズ群Ｇ４内に配置され、広角端状態から望遠端状態への変倍に際して第４レンズ群Ｇ４とともに移動する。
【００７８】
以下の表２に第２実施例に係るズームレンズの各諸元の値を掲げる。なお、表２における面番号１〜３６は、図３に示す面１〜３６に対応している。
【００７９】
（表２）
［全体諸元］
広角端状態    中間焦点距離状態    望遠端状態
ｆ          28.8      〜    100.0      〜    292.0
ＦＮＯ      3.6      〜      5.4      〜      5.8
２ω        76.6      〜    23.3      〜      8.2
Ｙ          21.6      〜    21.6      〜      21.6
ＴＬ      159.022    〜    204.828    〜      231.791
Ｂｆ      38.423    〜    66.167      〜      79.264
［レンズデータ］
面番号      ｒ          ｄ        ｎｄ        νｄ
1      138.4891      2.000      1.90366      31.27
2      73.2156      9.300      1.49782      82.56
3    -502.1696      0.100
4      66.3869      6.500      1.59319      67.87
5      341.1746      D5
＊6      139.6256      1.350      1.83481      42.72
7      18.7119      6.300
8      -41.9189      1. 000      1.80400      46.58
9      47.2984      0.100
10      34.7718      4.600      2.00069      25.46
11      -43.3923      1.200
12      -27.1478      1.000      1.80400      46.58
13      900.9344      D13
14      開口絞りＳ    0.500
15      69.5335      3.300      1.61800      63.38
16      -82.8727      0.100
17      27.1628      5.100      1.49782      82.56
18      -61.0391      1.000      1.84666      23.78
19      -424.9302    0.200
20      32.6799      1.200      1.83481      42.72
21      14.4261      6.600      1.51823      58.89
22      -90.4178      D22
23      -143.6229    1.000      1.77250      49.61
24      16.3837      2.900      1.85026      32.34
25      50.4199      1.785
26      固定絞りSP    3.200
＊27      -20.8423      0.200      1.55389      38.09
28      -20.8423      1.200      1.72916      54.66
29      -45.6998      D29
30      58.7089      5.700      1.51823      58.89
31      -25.6925      0.300
32      81.2720      6.200      1.51742      52.32
33      -24.4636      1.100      1.90366      31.27
34      -41.9090      1.950
＊35      -25.4300      1.300      1.8208      42.64
36      -82.9152      Bf
［非球面データ］
第６面
κ＝-29.4063,A4＝3.62E-06,A6＝-1.78E-08,A8＝9.64E-13,
A10＝-2.71E-13,A12＝4.44E-16
第２７面
κ＝-0.02999,A4＝-1.21E-06,A6＝7.74E-08,A8＝-3.75E-11,
第３５面
κ＝1.0000,A4＝-1.04E-05,A6＝-2.62E-09,A8＝1.68E-10,A10＝-4.66E-13
［可変面間隔データ］
広角端状態      中間焦点距離状態      望遠端状態
D５      2.736              37.836            63.419
D13      31.152            14.114            2.396
D22      2.344              5.937            7.127
D29      6.082              2.489            1.300
［レンズ群データ］
群番号      群初面    群焦点距離
Ｇ１        １        108.988
Ｇ２        ６        -17.282
Ｇ３        14        25.991
Ｇ４        23        -26.556
Ｇ５        30        44.433
［条件式対応値］
条件式（１）ｎｄ２＝2.00069(レンズL23)
条件式（２）（−ｆ２）／（−ｆ４）＝0.65
条件式（３）    ｆ３  ／（−ｆ４）＝0.98
条件式（４）    ｆ５  ／（−ｆ４）＝1.67
【００８０】
表２に示す諸元の表から、第２実施例に係るズームレンズでは、上記条件式（１）〜（４）を全て満たすことが分かる。
【００８１】
図４は、第２実施例に係るズームレンズの諸収差図であり、（ａ）は広角端状態における無限遠合焦状態の諸収差図、（ｂ）は中間焦点距離状態における無限遠合焦状態の諸収差図、（ｃ）は望遠端状態における無限遠合焦状態の諸収差図である。
【００８２】
各収差図から明らかなように、第２実施例では、広角端状態から望遠端状態までの各焦点距離状態において、諸収差が良好に補正され、優れた結像性能を有することが分かる。
【００８３】
（第３実施例）
第３実施例について、図５、図６及び表３を用いて説明する。図５は、第３実施例に係るズームレンズの断面構成図であり、（Ｗ）は広角端状態を、（Ｍ）は中間焦点距離状態を、（Ｔ）は望遠端状態をそれぞれ示す。図５に示すように、第３実施例に係るズームレンズは、光軸に沿って物体側から順に並んだ、正の屈折力を持つ第１レンズ群Ｇ１と、負の屈折力を持つ第２レンズ群Ｇ２と、正の屈折力を持つ第３レンズ群Ｇ３と、負の屈折力を持つ第４レンズ群Ｇ４と、正の屈折力を持つ第５レンズ群Ｇ５と有する。そして、広角端状態から望遠端状態への変倍に際し、第１レンズ群Ｇ１と第２レンズ群との間隔は増大し、第２レンズ群Ｇ２と第３レンズ群Ｇ３との間隔は減少し、第３レンズ群Ｇ３と第４レンズ群Ｇ４との間隔は増大し、第４レンズ群Ｇ４と第５レンズ群Ｇ５との間隔は減少するように、第１レンズ群Ｇ１と第３レンズ群Ｇ３と第５レンズ群Ｇ５を物体方向に移動させるとともに、第２レンズ群Ｇ２と第４レンズ群Ｇ４を移動させる。また、本実施例に係るズームレンズでは、遠距離より近距離物体への合焦は、第２レンズ群Ｇ２を物体方向に繰り出すことによって行う。
【００８４】
第１レンズ群Ｇ１は、物体側から順に並んだ、物体側に凸面を向けた負メニスカスレンズＬ１１と物体側に凸面を向けた正メニスカスレンズＬ１２との接合レンズと、物体側に凸面を向けた正メニスカスレンズＬ１３とを有する。
【００８５】
第２レンズ群Ｇ２は、物体側から順に並んだ、物体側に凸面を向けた負メニスカスレンズＬ２１と、両凹負レンズＬ２２と、両凸正レンズＬ２３と、両凹負レンズＬ２４とを有する。なお、第２レンズ群Ｇ２の最も物体側に位置する負メニスカスレンズＬ２１は、物体側のレンズ面を非球面形状とした、非球面レンズである。
【００８６】
第３レンズ群Ｇ３は、物体側から順に並んだ、物体側に凸面を向けた負メニスカスレンズＬ３１と両凸正レンズＬ３２との接合レンズと、両凸正レンズＬ３３とを有する。
【００８７】
第４レンズ群Ｇ４は、物体側から順に並んだ、両凹負レンズＬ４１と物体側に凸面を向けた正メニスカスレンズＬ４２との接合レンズとを有する。
【００８８】
第５レンズ群Ｇ５は、物体側から順に並んだ、両凸正レンズＬ５１と、両凸正レンズＬ５２と物体側に凹面を向けた負メニスカスレンズＬ５３との接合レンズとを有する。
【００８９】
開口絞りＳは、第２レンズ群Ｇ２と第３レンズ群Ｇ３の間に配置され、広角端状態から望遠端状態への変倍に際して第３レンズ群Ｇ３とともに移動する。
【００９０】
固定絞りＳＰは、第４レンズ群Ｇ４と第５レンズ群Ｇ５との間に配置され、広角端状態から望遠端状態への変倍に際して第４レンズ群Ｇ４とともに移動する。
【００９１】
以下の表３に第３実施例に係るズームレンズの各諸元の値を掲げる。なお、表３における面番号１〜２９は、図５に示す面１〜２９に対応している。
【００９２】
（表３）
［全体諸元］
広角端状態    中間焦点距離状態    望遠端状態
ｆ          18.8      〜    56.2      〜      96.5
ＦＮＯ      3.6      〜      5.1      〜      5.7
２ω        79.1      〜    28.4      〜      16.8
Ｙ          14.75    〜    14.75      〜      14.75
ＴＬ      132.130    〜    156.884    〜      170.568
Ｂｆ      37.064    〜    53.299      〜      57.641
［レンズデータ］
面番号      ｒ          ｄ        ｎｄ        νｄ
1      118.6191      1.800      1.80518      25.43
2      56.3461      6.6500      1.60311      60.68
3      750.6281      0.100
4      61.3129      4.400      1.69680      55.52
5      245.7903      D5
＊6      161.2961      0.200      1.55389      38.09
7      135.3684      1.200      1.80610      40.94
8      14.0958      6.050
9      -74.5352      1.000      1.80610      40.94
10      25.6583      0.8500
11      23.2945      5.300      1.92286      20.50
12    -1195.1730      0.200
13      -255.4416      1.000      1.80610      40.94
14      104.5657      D14
15      開口絞りＳ    0.400
16      26.8351      1.200      1.75520      27.51
17      14.7975      4.400      1.49782      82.56
18      -58.1727      0.100
19      33.8968      2.500      1.61800      63.38
20      -99.7862      D20
21      -47.7287      0.800      1.72916      54.66
22      13.4712      2.400      1.85026      32.35
23      40.8366      3.400
24      固定絞りSP    D24
25    3123.7337      3.500      1.51680      64.12
26      -22.7710      0.400
27      67.0385      6.700      1.48749      70.45
28      -16.1162      1.200      1.85026      32.35
29      -63.5268      Bf
［非球面データ］
第６面
κ＝87.2163,A4＝1.31E-06,A6＝-1.32E-08,A8＝3.49E-12,A10＝-9.99E-14
［可変面間隔データ］
広角端状態      中間焦点距離状態      望遠端状態
D５      1.925              27.504            41.484
D14      24.942            7.881            3.244
D20      2.034              7.049            8.772
D24      10.416              5.401            3.678
［レンズ群データ］
群番号      群初面    群焦点距離
Ｇ１        １        91.792
Ｇ２        ６        -15.033
Ｇ３        15        23.831
Ｇ４        21        -36.549
Ｇ５        25        45.130
［条件式対応値］
条件式（１）ｎｄ２＝1.92286（Ｌ２３）
条件式（２）（−ｆ２）／（−ｆ４）＝0.41
条件式（３）    ｆ３  ／（−ｆ４）＝0.65
条件式（４）    ｆ５  ／（−ｆ４）＝1.23
【００９３】
表３に示す諸元の表から、第３実施例に係るズームレンズでは、上記条件式（１）〜（４）を全て満たすことが分かる。
【００９４】
図６は、第３実施例に係るズームレンズの諸収差図であり、（ａ）は広角端状態における無限遠合焦状態の諸収差図、（ｂ）は中間焦点距離状態における無限遠合焦状態の諸収差図、（ｃ）は望遠端状態における無限遠合焦状態の諸収差図である。
【００９５】
各収差図から明らかなように、第３実施例では、広角端状態から望遠端状態までの各焦点距離状態において、諸収差が良好に補正され、優れた結像性能を有することが分かる。
【００９６】
（第４実施例）
第４実施例について、図７、図８及び表４を用いて説明する。図７は、第４実施例に係るズームレンズの断面構成図であり、（Ｗ）は広角端状態を、（Ｍ）は中間焦点距離状態を、（Ｔ）は望遠端状態をそれぞれ示す。図７に示すように、第４実施例に係るズームレンズは、光軸に沿って物体側から順に並んだ、正の屈折力を持つ第１レンズ群Ｇ１と、負の屈折力を持つ第２レンズ群Ｇ２と、正の屈折力を持つ第３レンズ群Ｇ３と、負の屈折力を持つ第４レンズ群Ｇ４と、正の屈折力を持つ第５レンズ群Ｇ５と有する。そして、広角端状態から望遠端状態への変倍に際し、第１レンズ群Ｇ１と第２レンズ群との間隔は増大し、第２レンズ群Ｇ２と第３レンズ群Ｇ３との間隔は減少し、第３レンズ群Ｇ３と第４レンズ群Ｇ４との間隔は増大し、第４レンズ群Ｇ４と第５レンズ群Ｇ５との間隔は減少するように、第１レンズ群Ｇ１と第３レンズ群Ｇ３と第５レンズ群Ｇ５を物体方向に移動させるとともに、第２レンズ群Ｇ２と第４レンズ群Ｇ４を移動させる。また、本実施例に係るズームレンズでは、遠距離より近距離物体への合焦は、第２レンズ群Ｇ２を物体方向に繰り出すことによって行う。
【００９７】
第１レンズ群Ｇ１は、物体側から順に並んだ、物体側に凸面を向けた負メニスカスレンズＬ１１と物体側に凸面を向けた正メニスカスレンズＬ１２との接合レンズと、物体側に凸面を向けた正メニスカスレンズＬ１３とを有する。
【００９８】
第２レンズ群Ｇ２は、物体側から順に並んだ、物体側に凸面を向けた負メニスカスレンズＬ２１と、両凹負レンズＬ２２と、物体側に凸面を向けた負メニスカスレンズＬ２３と物体側に凸面を向けた正メニスカスレンズＬ２４との接合レンズとを有する。なお、第２レンズ群Ｇ２の最も物体側に位置する負メニスカスレンズＬ２１は、物体側のレンズ面を非球面形状とした、非球面レンズである。
【００９９】
第３レンズ群Ｇ３は、物体側から順に並んだ、物体側に凸面を向けた負メニスカスレンズＬ３１と両凸正レンズＬ３２との接合レンズと、両凸正レンズＬ３３とを有する。
【０１００】
第４レンズ群Ｇ４は、物体側から順に並んだ、両凹負レンズＬ４１と物体側に凸面を向けた正メニスカスレンズＬ４２との接合レンズとを有する。
【０１０１】
第５レンズ群Ｇ５は、物体側から順に並んだ、物体側に凹面を向けた正メニスカスレンズＬ５１と、両凸正レンズＬ５２と物体側に凹面を向けた負メニスカスレンズＬ５３との接合レンズとを有する。
【０１０２】
開口絞りＳは、第２レンズ群Ｇ２と第３レンズ群Ｇ３の間に配置され、広角端状態から望遠端状態への変倍に際して第３レンズ群Ｇ３とともに移動する。
【０１０３】
固定絞りＳＰは、第４レンズ群Ｇ４と第５レンズ群Ｇ５との間に配置され、広角端状態から望遠端状態への変倍に際して第４レンズ群Ｇ４とともに移動する。
【０１０４】
以下の表４に第４実施例に係るズームレンズの各諸元の値を掲げる。なお、表４における面番号１〜２８は、図７に示す面１〜２８に対応している。
【０１０５】
（表４）
［全体諸元］
広角端状態    中間焦点距離状態    望遠端状態
ｆ          18.8      〜    56.2      〜      96.5
ＦＮＯ      3.6      〜      5.1      〜      5.7
２ω        79.1      〜    28.4      〜      16.8
Ｙ          14.75    〜    14.75      〜      14.75
ＴＬ      132.130    〜    156.884    〜      170.568
Ｂｆ      37.064    〜    53.299      〜      57.641
［レンズデータ］
面番号      ｒ          ｄ        ｎｄ        νｄ
1      121.9241      1.800      1.80518      25.43
2      57.2644      6.650      1.60311      60.68
3      971.4574      0.100
4      61.1719      4.400      1.69680      55.52
5      238.3757      D5
＊6      161.2961      0.200      1.55389      38.09
7      135.3684      1.200      1.80610      40.94
8      14.0958      6.050
9      -106.2115      1.000      1.80610      40.94
10      29.4458      1.450
11      24.8406      1.200      1.80610      40.94
12      20.6610      4.700      1.94595      17.98
13      57.3358      D13
14      開口絞りＳ    0.400
15      27.0045      1.200      1.75520      27.51
16      14.8526      4.400      1.49782      82.56
17      -50.9026      0.100
18      35.0499      2.500      1.61800      63.38
19      -109.4035    D19
20      -47.3620      0.800      1.72916      54.66
21      13.5249      2.400      1.85026      32.35
22      41.1461      3.400
23      固定絞りSP    D23
24    -2162.4970      3.500      1.51680      64.12
25      -22.4246      0.400
26      65.3027      6.700      1.48749      70.45
27      -16.2360      1.200      1.85026      32.35
28      -65.2730      Bf
［非球面データ］
第６面
κ＝91.1992,A4＝1.35E-07,A6＝-1.22E-08,A8＝2.32E-11,A10＝-1.80E-13
［可変面間隔データ］
広角端状態      中間焦点距離状態      望遠端状態
D５      1.925              27.504            41.483
D14      24.942              7.881            3.244
D20      2.034              7.049            8.772
D24      10.416              5.401            3.678
［レンズ群データ］
群番号      群初面    群焦点距離
Ｇ１        １        91.792
Ｇ２        ６        -15.033
Ｇ３        15        23.831
Ｇ４        20        -36.549
Ｇ５        24        45.130
［条件式対応値］
条件式（１）ｎｄ２＝1.94595(レンズL24)
条件式（２）（−ｆ２）／（−ｆ４）＝0.41
条件式（３）    ｆ３  ／（−ｆ４）＝0.65
条件式（４）    ｆ５  ／（−ｆ４）＝1.23
【０１０６】
表４に示す諸元の表から、第４実施例に係るズームレンズでは、上記条件式（１）〜（４）を全て満たすことが分かる。
【０１０７】
図８は、第４実施例に係るズームレンズの諸収差図であり、（ａ）は広角端状態における無限遠合焦状態の諸収差図、（ｂ）は中間焦点距離状態における無限遠合焦状態の諸収差図、（ｃ）は望遠端状態における無限遠合焦状態の諸収差図である。
【０１０８】
各収差図から明らかなように、第４実施例では、広角端状態から望遠端状態までの各焦点距離状態において、諸収差が良好に補正され、優れた結像性能を有することが分かる。
【０１０９】
（第５実施例）
第５実施例について、図９、図１０及び表５を用いて説明する。図９は、第５実施例に係るズームレンズの断面構成図であり、（Ｗ）は広角端状態を、（Ｍ）は中間焦点距離状態を、（Ｔ）は望遠端状態をそれぞれ示す。図９に示すように、第５実施例に係るズームレンズは、光軸に沿って物体側から順に並んだ、正の屈折力を持つ第１レンズ群Ｇ１と、負の屈折力を持つ第２レンズ群Ｇ２と、正の屈折力を持つ第３レンズ群Ｇ３と、負の屈折力を持つ第４レンズ群Ｇ４と、正の屈折力を持つ第５レンズ群Ｇ５と有する。そして、広角端状態から望遠端状態への変倍に際し、第１レンズ群Ｇ１と第２レンズ群との間隔は増大し、第２レンズ群Ｇ２と第３レンズ群Ｇ３との間隔は減少し、第３レンズ群Ｇ３と第４レンズ群Ｇ４との間隔は増大し、第４レンズ群Ｇ４と第５レンズ群Ｇ５との間隔は減少するように、第１レンズ群Ｇ１と第３レンズ群Ｇ３と第５レンズ群Ｇ５を物体方向に移動させるとともに、第２レンズ群Ｇ２と第４レンズ群Ｇ４を移動させる。また、本実施例に係るズームレンズでは、遠距離より近距離物体への合焦は、第２レンズ群Ｇ２を物体方向に繰り出すことによって行う。
【０１１０】
第１レンズ群Ｇ１は、物体側から順に並んだ、物体側に凸面を向けた負メニスカスレンズＬ１１と物体側に凸面を向けた正メニスカスレンズＬ１２との接合レンズと、物体側に凸面を向けた正メニスカスレンズＬ１３とを有する。
【０１１１】
第２レンズ群Ｇ２は、物体側から順に並んだ、物体側に凸面を向けた負メニスカスレンズＬ２１と、両凹負レンズＬ２２と、物体側に凸面を向けた正メニスカスレンズＬ２３と、物体側に凹面を向けた負メニスカスレンズＬ２４とを有する。なお、第２レンズ群Ｇ２の最も物体側に位置する負メニスカスレンズＬ２１は、物体側のレンズ面を非球面形状とした、非球面レンズである。
【０１１２】
第３レンズ群Ｇ３は、物体側から順に並んだ、両凸正レンズＬ３１と、物体側に凸面を向けた負メニスカスレンズＬ３２と両凸正レンズＬ３３との接合レンズと、両凸正レンズＬ３４との接合レンズとを有する。
【０１１３】
第４レンズ群Ｇ４は、物体側から順に並んだ、物体側に凹面を向けた正メニスカスレンズＬ４１と両凹負レンズＬ４２との接合レンズと、物体側に凹面を向けた負レンズＬ４３とを有する。なお、第４レンズ群Ｇ４において、最も物体側に位置する接合レンズを構成する両凹負レンズＬ４２は、像側のレンズ面を非球面形状とした、非球面レンズである。
【０１１４】
第５レンズ群Ｇ５は、物体側から順に並んだ、両凸正レンズＬ５１と、物体側に凹面を向けた正メニスカスレンズＬ５２と物体側に凹面を向けた負メニスカスレンズＬ５３との接合レンズとを有する。なお、第５レンズ群Ｇ５の最も物体側に位置する両凸正レンズＬ５１は、物体側のレンズ面及び像側のレンズ面をともに非球面形状とした、非球面レンズである。
【０１１５】
開口絞りＳは、第３レンズ群Ｇ３内に配置され、広角端状態から望遠端状態への変倍に際して第３レンズ群Ｇ３とともに移動する。
【０１１６】
以下の表５に、第５実施例に係るズームレンズの各諸元の値を掲げる。なお、表５における面番号１〜３１は、図９に示す面１〜３１に対応している。
【０１１７】
（表５）
［全体諸元］
広角端状態    中間焦点距離状態    望遠端状態
ｆ          24.6      〜    50.0      〜      117.0
ＦＮＯ      4.1      〜      4.1      〜      4.1
２ω        85.4      〜    45.2      〜      20.4
Ｙ          21.6      〜    21.6      〜      21.6
ＴＬ      149.549    〜    163.459    〜      192.357
Ｂｆ      40.381    〜    50.515      〜      67.752
［レンズデータ］
面番号      ｒ          ｄ        ｎｄ        νｄ
1      145.9142      1.500      1.84666      23.75
2      64.4133      7.700      1.59319      67.87
3      959.4547      0.100
4      54.0488      5.100      1.75500      52.29
5      133.5726      D5
＊6      118.7745      1.350      1.79668      45.34
＊7      14.6412      7.200
8      -85.9591      1.000      1.77250      49.61
9      43.2968      0.100
10      31.5833      3.600      1.94595      17.98
11      304.1231      2.300
12      -25.7680      1.000      1.77250      49.61
13      -36.7285      D13
14      70.8944      2.300      1.75500      52.29
15      -209.4849      1.400
16      開口絞りＳ    0.500
17      28.3582      1.400      1.84666      23.75
18      17.9719      7.650      1.48749      70.45
19      -62.1636      0.100
20      48.5750      2.600      1.59319      67.87
21      -527.3854      D21
22      -56.6852      3.350      1.85026      32.33
23      -19.2954      1.000      1.75500      52.29
＊24      69.4557      3.300
25      -29.8749      1.000      1.81600      46.63
26      -69.2476      D26
＊27      55.7040      7.400      1.58913      61.18
＊28      -21.4359      0.100
29      -114.2550      5.400      1.48749      70.45
30      -21.2096      1.500      1.90366      31.31
31      -80.3390      Bf
［非球面データ］
第６面
κ＝1.00000,A4＝3.76E-06,A6＝-4.33E-08,A8＝1.63E-10,A10＝-1.92E-13
第７面
κ＝1.00000,A4＝-5.25E-06,A6＝-9.56E-08,A8＝-1.38E-10,A10＝-4.65E-13
第２４面
κ＝1.00000,A4＝-2.43E-06,A6＝1.40E-08,A8＝-4.51E-11
第２７面
κ＝1.00000,A4＝-1.17E-05,A6＝1.47E-08,A8＝-7.64E-11,A10＝-8.47E-15
第２８面
κ＝1.0000,A4＝1.03E-05,A6＝1.08E-08,A8＝-3.25E-12,A10＝-1.56E-13
［可変面間隔データ］
広角端状態      中間焦点距離状態      望遠端状態
D５      2.659              22.048            42.526
D13      21.623            10.014            1.198
D21      2.756              6.486            9.368
D26      8.194              4.464            1.582
［レンズ群データ］
群番号      群初面    群焦点距離
Ｇ１        １        102.837
Ｇ２        ６        -16.660
Ｇ３        14        24.284
Ｇ４        20        -26.343
Ｇ５        34        39.104
［条件式対応値］
条件式（１）ｎｄ２＝1.94595(レンズL23)
条件式（２）（−ｆ２）／（−ｆ４）＝0.63
条件式（３）    ｆ３  ／（−ｆ４）＝0.92
条件式（４）    ｆ５  ／（−ｆ４）＝1.48
【０１１８】
表５に示す諸元の表から、第５実施例に係るズームレンズでは、上記条件式（１）〜（４）を全て満たすことが分かる。
【０１１９】
図１０は、第５実施例に係るズームレンズの諸収差図であり、（ａ）は広角端状態における無限遠合焦状態の諸収差図、（ｂ）は中間焦点距離状態における無限遠合焦状態の諸収差図、（ｃ）は望遠端状態における無限遠合焦状態の諸収差図である。
【０１２０】
各収差図から明らかなように、第５実施例では、広角端状態から望遠端状態までの各焦点距離状態において、諸収差が良好に補正され、優れた結像性能を有することが分かる。
【０１２１】
なお、上述の実施形態において、以下に記載の内容は、光学性能を損なわない範囲で適宜採用可能である。
【０１２２】
上記実施例では、５群構成を示したが、６群等の他の群構成にも適用可能である。また、最も物体側にレンズ又はレンズ群を追加した構成や、最も像側にレンズ又はレンズ群を追加した構成でも構わない。なお、レンズ群とは、変倍時に変化する空気間隔で分離された、少なくとも１枚のレンズを有する部分を示す。
【０１２３】
また、単独又は複数のレンズ群、又は部分レンズ群を光軸方向に移動させて、無限遠物体から近距離物体への合焦を行う合焦レンズ群としてもよい。前記合焦レンズ群は、オートフォーカスにも適用でき、オートフォーカス用の（超音波モーター等の）モーター駆動にも適している。特に、第２レンズ群Ｇ２の少なくとも一部を合焦レンズ群とするのが好ましい。
【０１２４】
また、レンズ群又は部分レンズ群を光軸に垂直な方向の成分を持つように移動させ、又は、光軸を含む面内方向に回転移動（揺動）させて、手ブレによって生じる像ブレを補正する防振レンズ群としてもよい。特に、第３レンズ群Ｇ３の少なくとも一部、又は、第４レンズ群Ｇ４の少なくとも一部を防振レンズ群とするのが好ましい。
【０１２５】
また、レンズ面は、球面又は平面で形成されても、非球面で形成されても構わない。レンズ面が球面又は平面の場合、レンズ加工及び組立調整が容易になり、加工及び組立調整の誤差による光学性能の劣化を防げるので好ましい。また、像面がずれた場合でも、描写性能の劣化が少ないので好ましい。また、レンズが非球面の場合、非球面は研削加工による非球面、ガラスを型で非球面形状に形成したガラスモールド非球面、ガラスの表面に樹脂を非球面形状に形成した複合型非球面のいずれの非球面でも構わない。また、レンズ面は回折面としてもよく、レンズを屈折率分布型レンズ（ＧＲＩＮレンズ）あるいはプラスチックレンズとしてもよい。
【０１２６】
また、開口絞りＳは、第３レンズ群Ｇ３近傍に配置されるのが好ましいが、開口絞りとしての部材を設けずに、レンズ枠でその役割を代用してもよい。
【０１２７】
また、各レンズ面に、フレアやゴーストを軽減し、高コントラストの高い光学性能を達成するために、広い波長域で高い透過率を有する反射防止膜を施してもよい。
【０１２８】
なお、本実施形態のズームレンズ（変倍光学系）は、変倍比が４〜２０倍であり、より好ましくは４．５〜１５倍である。
【０１２９】
また、本実施形態のズームレンズ（変倍光学系）は、第１レンズ群Ｇ１が、正のレンズ成分を２つ有するのが好ましい。
【０１３０】
また、本実施形態のズームレンズ（変倍光学系）は、第２レンズ群Ｇ２が、正のレンズ成分を１つと、負のレンズ成分を２つ有するのが好ましい。また、第２レンズ群Ｇ２は、物体側から順に、負負正の順番にレンズ成分を、空気間隔を介在させて配置するのが好ましい。
【０１３１】
また、本実施形態のズームレンズ（変倍光学系）は、第３レンズ群Ｇ３が、正のレンズ成分を３つ有するのが好ましい。
【０１３２】
また、本実施形態のズームレンズ（変倍光学系）は、第４レンズ群Ｇ４が、負のレンズ成分を２つ有するのが好ましい。
【０１３３】
また、本実施形態のズームレンズ（変倍光学系）は、第５レンズ群Ｇ５が、正のレンズ成分を２つ有するのが好ましい。
【０１３４】
なお、本発明を分かりやすくするために、実施形態の構成要件を付して説明したが、本発明がこれに限定されるものではないことは言うまでもない。
【符号の説明】
【０１３５】
Ｇ１    第１レンズ群
Ｇ２    第２レンズ群
Ｇ３    第３レンズ群
Ｇ４    第４レンズ群
Ｇ５    第５レンズ群
Ｓ      開口絞り
ＳＰ    固定絞り
Ｉ    像面
ＣＡＭ  デジタル一眼レフカメラ（光学機器）
【図１】
2010191199.tif 000003
【図２】
2010191199.tif 000004
【図３】
2010191199.tif 000005
【図４】
2010191199.tif 000006
【図５】
2010191199.tif 000007
【図６】
2010191199.tif 000008
【図７】
2010191199.tif 000009
【図８】
2010191199.tif 000010
【図９】
2010191199.tif 000011
【図１０】
2010191199.tif 000012
【図１１】
2010191199.tif 000013
【図１２】
2010191199.tif 000014